(57)【要約】【課題】建物等の壁面を下垂性蔓植物で緑被する技術において、強風を受けても風に揺さぶられることがなく、葉や茎が綺麗な状態で整然とした下垂状態を維持することができ、例えば高層ビルのように縦に長い壁面であっても、所望の高さに緑被することができ、さらに植栽当初における下垂性蔓植物の長さに応じて、計画的に壁面の所望面積又は全面を緑被することができるようにした壁面緑被方法及び壁面緑被装置を提供する。【解決手段】壁面２の所望箇所に固定した支柱３に容器６を固定すると共に、該容器６の下方に仕切棒７ｂを有する規制網７を設け、容器６に植栽した下垂性蔓植物５を壁面２と規制網７との間に挿通すると共に仕切棒７ｂ及び規制網７の所望箇所に固定する仕切部材２４ｂで仕切った状態にすることにより、壁面２を下垂性蔓植物５で緑被する所望箇所及び所望面積に応じて支柱３及び容器６の個数、規模又は取付け箇所を計画するようにした。【選択図】図２
2006246753.tif 000002
【特許請求の範囲】
【請求項１】
壁面の所望箇所に固定した支柱に容器を固定すると共に、該容器の下方に仕切棒を有する規制網を設け、前記容器に植栽した下垂性蔓植物を前記壁面と前記規制網との間に挿通すると共に前記仕切棒及び前記規制網の所望箇所に固定する仕切部材で仕切ることにより、壁面を下垂性蔓植物で緑被する所望箇所及び所望面積に応じて前記支柱及び前記容器の個数、規模又は取付け箇所を計画するようにしたことを特徴とする壁面緑被方法。
【請求項２】
前記規制網の下方を前記支柱の所定箇所に支承した部位を支点として開閉自在とし、前記規制網を開いた状態で前記容器に植栽した下垂性蔓植物の下垂状態を修正した後に該規制網を閉じて、該規制網の上方を前記支柱に取り付けられた容器の設置台に固定するようにしたことを特徴とする請求項１記載の壁面緑被方法。
【請求項３】
壁面の所望箇所又は全面を計画的に下垂性蔓植物で緑被する壁面緑被装置であって、壁面の所望箇所に長尺の支柱を縦状にして間隔をあけて固定すると共に、夫々の支柱の所定箇所に設置台を上下動可能に固定し、夫々の設置台に下垂性蔓植物を植栽する容器を固定すると共に、前記夫々の設置台に前記容器の下方側の壁面に設ける仕切棒を備えると共に、所望箇所に仕切部材が固定できる規制網を取り付けるようにしたことを特徴とする壁面緑被装置。
【請求項４】
前記規制網はその両側の上部延長棒に形成された折曲部を前記設置台に設けられた穴部に挿通して支持され、該規制網の下部は各支柱に固定された網押えボルトを介して網押え板により固定されるようにし、前記規制網の上方に設けられた容器に植栽された下垂性蔓植物を前記規制網と壁面との間に挿入した状態で生育させるようにしたことを特徴とする請求項３記載の壁面緑被装置。
【請求項５】
前記規制網の両側に形成された下部延長棒を前記支柱の所定箇所に固定した受け部材の支承穴に支承することにより開閉自在にし、該規制網の両側の上部延長棒を壁面側に略直角に折曲すると共にその端部を上方へ折曲してなる係止部を前記設置台に係止した状態にして該係止部を挟み金具で押さえてボルトで固定するようにし、前記規制網を手前に倒した状態にしてから前記規制網の上方の容器に植栽された下垂性蔓植物を下垂させた状態で前記規制網を閉じて固定するようにしたことを特徴とする請求項３記載の壁面緑被装置。
【請求項６】
前記規制網の所望箇所に１本又は複数の仕切棒を備えた仕切部材を固定するようにしたことを特徴とする請求項３、４又は５記載の壁面緑被装置。
【発明の詳細な説明】
【技術分野】
【０００１】
本発明は、建物等の壁面を下垂性蔓植物で緑化するようにした壁面緑被方法及び壁面緑被装置に関する。
【背景技術】
【０００２】
従来より、建物等の壁面緑化の方法としては、種々のものが開発されているが、建物の壁面を下垂性蔓植物で緑被することによって、都市部における建物の照り返しを防止して温暖化現象を緩和すると共に、景観を向上するようにした壁面緑被に関する技術が開発されている。
【０００３】
上記のように下垂性蔓植物を用いて建物の壁面を緑被する従来の方法として、一般的なものは、壁の上方の平坦部に植栽容器を設置し、該植栽容器から伸張する下垂性蔓植物をそのまま壁面に下垂させて緑被するものであった。
【０００４】
ところで、下垂性蔓植物は、壁面にほとんど付着せずに垂れ下がった状態で伸張するため、強風が吹くと、風に繰り返し揺さぶられ、壁に擦られたり、互いに擦りあって葉や茎がちぎれ、また整然とした下垂状態が乱されて、その修復が容易ではないという問題があった。
【０００５】
このような問題を解消する従来技術として、特許文献１に記載された「下垂型壁面緑化システム」は、図１２に示すように、構造物５０の屋上に収納ポット５２が配置されると共に、揺れ止め材５５を備えた補助資材５３が壁面５０ａに固定手段５４を介して固定され、収納ポット５２に植裁された蔓性植物５７が、補助資材５３と揺れ止め材５５との間に挟み込まれた状態で下垂して伸長することにより壁面５０ａを緑化するようにしたものである。
【特許文献１】特開２００５−２７５６２号公報
【発明の開示】
【発明が解決しようとする課題】
【０００６】
ところで、上記の特許文献１の装置においては、蔓性植物が植栽された収納ポットが構造物の屋上に配置されるものであるため、屋上に収納ポットを設置するスペースが必要であること、建造物の壁面が縦に長い場合、屋上に配置された収納ポットから蔓性植物が生育してその壁面を覆うまで伸張するには長期間を要すること、また高層ビルのように高い建物であって、建物の途中に収納ポットの設置場所がない場合、高い位置の壁面しか緑被できないこと等の欠点がある。
【０００７】
また、建造物の壁面が縦に長い場合、その壁面全体を覆うほど生育した蔓性植物を用意するにはコストが高くなり、逆に短尺の蔓性植物を植えて、その成長を待つ場合、植栽当初から長期間、壁面に緑被されない箇所が多く残り、見映えが悪いという問題がある。
【０００８】
本発明は、上記のような事情に鑑みてなされたもので、建物等の壁面を下垂性蔓植物で緑被する技術において、強風を受けても風に揺さぶられることがなく、葉や茎が綺麗な状態で整然とした下垂状態を維持することができ、例えば高層ビルのように縦に長い壁面であっても、屋上からだけではなく、所望の高さに緑被することができ、さらに植栽当初における下垂性蔓植物の長さに応じて、計画的に壁面の所望面積又は全面を緑被することができるようにした壁面緑被方法及び壁面緑被装置を提供することを目的とする。
【課題を解決するための手段】
【０００９】
上記の目的を達成するために、本発明の請求項１の壁面緑被方法は、壁面の所望箇所に固定した支柱に容器を固定すると共に、該容器の下方に仕切棒を有する規制網を設け、前記容器に植栽した下垂性蔓植物を前記壁面と前記規制網との間に挿通すると共に前記仕切棒及び前記規制網の所望箇所に固定する仕切部材で仕切ることにより、壁面を下垂性蔓植物で緑被する所望箇所及び所望面積に応じて前記支柱及び前記容器の個数、規模又は取付け箇所を計画するようにしたことを特徴とする。
【００１０】
また、本発明の請求項２の壁面緑被方法は、請求項１において、前記規制網の下方を前記支柱の所定箇所に支承した部位を支点として開閉自在とし、前記規制網を開いた状態で前記容器に植栽した下垂性蔓植物の下垂状態を修正した後に該規制網を閉じて、該規制網の上方を前記支柱に取り付けられた容器の設置台に固定するようにしたことを特徴とする。
【００１１】
また、本発明の請求項３の壁面緑被装置は、壁面の所望箇所又は全面を計画的に下垂性蔓植物で緑被する壁面緑被装置であって、壁面の所望箇所に長尺の支柱を縦状にして間隔をあけて固定すると共に、夫々の支柱の所定箇所に設置台を上下動可能に固定し、夫々の設置台に下垂性蔓植物を植栽する容器を固定すると共に、前記夫々の設置台に前記容器の下方側の壁面に設ける仕切棒を備えると共に、所望箇所に仕切部材が固定できる規制網を取り付けるようにしたことを特徴とする。
【００１２】
また、本発明の請求項４の壁面緑被装置は、請求項３において、前記規制網はその両側の上部延長棒に形成された折曲部を前記設置台に設けられた穴部に挿通して支持され、該規制網の下部は各支柱に固定された網押えボルトを介して網押え板により固定されるようにし、前記規制網の上方に設けられた容器に植栽された下垂性蔓植物を前記規制網と壁面との間に挿入した状態で生育させるようにしたことを特徴とする。
【００１３】
また、本発明の請求項５の壁面緑被装置は、請求項３において、前記規制網の両側に形成された下部延長棒を前記支柱の所定箇所に固定した受け部材の支承穴に支承することにより開閉自在にし、該規制網の両側の上部延長棒を壁面側に略直角に折曲すると共にその端部を上方へ折曲してなる係止部を前記設置台に係止した状態にして該係止部を挟み金具で押さえてボルトで固定するようにし、前記規制網を手前に倒した状態にしてから前記規制網の上方の容器に植栽された下垂性蔓植物を下垂させた状態で前記規制網を閉じて固定するようにしたことを特徴とする。
【００１４】
さらに、本発明の請求項６の壁面緑被装置は、請求項３、４又は５において、前記規制網の所望箇所に１本又は複数の仕切棒を備えた仕切部材を固定するようにしたことを特徴とする。
【発明の効果】
【００１５】
以上のように構成された本発明の壁面緑被方法及び壁面緑被装置により、壁面を緑被する所望箇所及び所望面積に応じて支柱及び容器の個数、規模又は固定箇所を計画することにより、例えば高層ビルのように縦に長い壁面であっても、屋上からだけではなく、所望の高さに緑被することができ、壁面の所望箇所又は全面を計画的に下垂性蔓植物で緑被する壁面緑被として施工することが可能となる。
【００１６】
また、本発明による仕切棒を備えると共に、所望の箇所に仕切部材が固定できる規制網により、容器から垂れ下がった状態で植栽された下垂性蔓植物が強風を受けても揺さぶられることがなく、葉や茎が綺麗な状態で、また整然とした下垂状態で生育させることが可能となる。
【００１７】
さらに、本発明においては、支柱に対する設置台の上下における間隔を自由に調整することができるため、植栽当初の下垂性蔓植物の長さや、植栽当初からどのくらいの密集状態で壁面を緑被するのか、又は施工コスト等の要望に応じて、計画的に建物等の壁面を緑被することが可能となる。
【００１８】
また、本発明によれば、規制網の下方を支柱の所定箇所に固定した受け部材に対して開閉自在に支承することにより、この規制網を開いた状態で、容器に植栽した下垂性蔓植物の下垂状態を修正した後に規制網を閉じて、該規制網の上方を支柱に固定した容器の設置台に係止して固定することが可能であり、規制網を完全に取り外さなくても、容器に植栽した下垂性蔓植物の手入れや管理等の作業を容易に行うことが可能となる。
【発明を実施するための最良の形態】
【００１９】
以下、本発明の実施例について図面を参照しながら説明する。
【実施例１】
【００２０】
本発明による壁面緑被装置１は、壁面２の所望箇所又は全面を計画的に下垂性蔓植物５で緑被することができる壁面緑被装置であって、図１に示すように、壁面２の所望箇所に長尺の支柱３、３…を縦状にして横方向に間隔をあけて固定すると共に、夫々の支柱３の所定箇所に設置台４を上下動可能に固定し、夫々の設置台４に下垂性蔓植物５を植栽する容器６を固定すると共に、夫々の設置台４に容器６の下方側の壁面２に設ける規制網７を取り付けるようにしたものである。
【００２１】
上記の構成について、より詳細に述べると、長尺の支柱３は、断面形状を図４に示すように、前面側に縦状に隙間８をあけた断面矩形の長尺部材から成り、図３に示すように背面に間隔をあけてボルト穴９が形成され、このボルト穴９にアンカーボルト１０を挿通して壁面２に螺入することによって固定する。なお、この支柱３を取付ける横方向の間隔は、互いに隣接する支柱３と支柱３との間に容器６の全長を収納し得る長さとする。
【００２２】
また、設置台４は、図１に示すように短尺のアングル材が使用され、図４に示すように、片側面の中央にボルト穴１１が形成され、このボルト穴１１にボルト１２を挿通すると共に、該ボルト１２を上記の支柱３の隙間８に挿通し、支柱３の内部に入れた受け座金１３のボルト孔に挿通してナット１４で締めることにより支柱３の所望位置に固定することができる。このような設置台４は、図５に示すように壁面２に並設固定した支柱３において上下に同様の間隔をあけた所定高さに固定することによって、後述するように、容器６の片側ずつを支持するための設置台４とし、また後述する規制網７の取付け具とすることができる。
【００２３】
さらに、図４に示すように、上記の設置台４の他の片側面には、左右の端部付近に離れて横方向に長い長穴１５、１５が形成され、これらの長穴１５、１５の間には横方向に離間して２個の丸穴１６、１６が形成されている。夫々の丸穴１６は、後述するように規制網７の折曲部１７を上方から挿通して掛止するためのものである。
【００２４】
また、容器６は、図１に示すように、底部の中央の長手方向に沿って底上げした凸部６ａが形成されると共に凸部６ａには水抜き穴６ｂが形成され、その前後には窪み部６ｃ、６ｃが形成されている。このような容器６においては、上方に付設された潅水パイプ（後述する）から排出された水を容器６内の土壌に供給するのであるが、容器６内の土壌の水はけを良くするために凸部６ａと水抜き穴６ｂを設け、さらに前後の窪み部６ｃ、６ｃに土壌中の水分を貯留して保水性を確保することができる。
【００２５】
また、容器６の凸部６ａの両端付近にはボルト１８、１８が下方を向けて固定されている。このような構成により、図１及び図２に示すように、容器６のボルト１８を設置台４の片側の長穴１５に挿通して、下方からナット２０で締結することにより、設置台４の上に容器６を固定することができる。
【００２６】
また、本実施例において、規制網７は、図１に示すように、網目部７ａを細径棒によって四角形の網目状に形成したほか、特に網目の形状に限定されるものではないが、この規制網７の上部においては、壁面側に折曲した所定長さを有する多数の仕切棒７ｂ、７ｂ…が間隔をあけて設けられている。
【００２７】
さらに、規制網７の両側上部においては、上部延長棒７ｃ、７ｃが延長され、網目部７ａから多少の間隔をあけた部位で壁面側に屈曲し、さらに下方に屈曲してなる折曲部１７、１７が形成され、夫々の折曲部１７を上記の設置台４の片側の丸穴１６に上方から挿通して掛止することにより、規制網７を設置台４に取り付けることが可能とされている。
【００２８】
上記の構成において、上記の規制網７は壁面２から離間した位置に取り付けられるが、この離間幅と同様の離間幅を有するように、規制網７の下方は網押え板２１によって固定される。即ち、図１又は図２に示すように、噛合せ金具２２によって支柱３に上下動可能に締結された網押えボルト２３を水平に突出させ該網押えボルト２３の頭部に係止した網押え板２１を規制網７の片側に係止することによって、規制網７の下方部を壁面２から所定間隔だけ離間した状態で固定する。
【００２９】
さらに、本実施例においては、規制網７の所望箇所に１本又は複数の仕切棒２４ａ、２４ａ…を備えた仕切部材２４を固定することができる。この仕切部材２４は、上記の規制網７と同様の幅を有するもの（２４Ａ）、またそれよりも狭い幅を有するもの（２４Ｂ）、左右に仕切棒２４ａ、２４ａを形成して１つの仕切空間を形成しただけもの（２４Ｃ）、さらには仕切棒２４ａを１本だけ設けたもの（２４Ｄ）等がある。いずれにしても、１本又は複数の仕切棒２４ａ、２４ａ…を有すると共に、左右上方に延長された係止棒２４ｂ、２４ｂを備えている。そして、必要に応じて、仕切部材２４の仕切棒２４ａを、規制網７の任意位置に引っかけた状態にして、規制網７の適当箇所に番線等によって固定することにより、規制網７の上部の仕切棒７ｂ以外にも、任意の位置に１本又は複数の仕切棒２４ａを設けることが可能となる。
【００３０】
上記のように構成された壁面緑被装置を使用した施工方法としては、図３(ａ)、(ｂ)に示すように、建物等の壁面２の所望箇所に所定間隔（容器６の略全長程度）をあけて支柱３をアンカーボルト１０で固定する。支柱３の使用本数は、緑被面積に応じて割り出すことができる。次いで、図５に示すように、支柱３に対する所望高さに設置台４をボルトの締め付けにより固定する。このとき、緑被面積に応じて、支柱３の上下位置に複数の設置台４を設ける。
【００３１】
さらに、支柱３に対する設置台４の上下における間隔は、容器６に植栽する下垂性蔓植物５の長さにもよるものであり、またそのような下垂性蔓植物５を植栽当初から壁面２に隙間なく緑被するか、コストの面から多少の隙間が生じるのを前提として緑被するか等の計画によって異なるものである。
【００３２】
ついで、図２に示すように、上記のように支柱３に固定された設置台４の上部に容器６の片側を載置すると共に、容器６の底部に固定したボルト１８を設置台４の片側の長穴１５（図１参照）に挿通してナット２０で締結することによって容器６を固定する。このように、１個の設置台４に対して、その左右に容器６、６の片側ずつを載置してボルト１８で固定する作業を行うことによって必要数の容器６を取り付ける。
【００３３】
また、規制網７の片側ずつの上部の折曲部１７を設置台４の片側の丸穴１６に上方から挿通して掛止することにより取り付け、各支柱３に対して網押え板２１を規制網７の両側
の棒部に引っ掛けた状態で、網押えボルト２３の締め付けによって固定する。
【００３４】
このように取り付けた規制網７の上方には容器６との間に空間があり、図２に示すように、容器６に下垂性蔓植物５の根部５ａを収納して、各下垂性蔓植物５の茎部を、図６（c）に示すように、規制網７と壁面２との間に挿入する。
【００３５】
ところで、何らかの規制手段をとらずに成長させた下垂性蔓植物５は、第７図(ａ)、(ｂ)、(ｃ)に示すように、非常に入り乱れている時期があり、これを正面から規制網で押さえただけでは、将来的に整然とした下垂状態に成長させることが難しく、見映えのする緑被状態を得るのは困難である。
【００３６】
このため、図６(ａ)、(ｂ)、（c）における規制網７の取付け時に入り乱れている茎部を先ず仕切棒７ｂ、７ｂの間にそれぞれ均一に挿入してから、なお方向性の一様ではない茎部を強制するため、規制網７の必要箇所に仕切部材２４を結束して茎部の偏りを取り除き、成長する方向性を規制する。ここで使用する仕切部材２４は茎部の偏りに合わせて、仕切棒１本のものから複数本のものまで適切なものを選択して使用することができる。また、これらの仕切部材２４は規制網７のどの部分にも取り付けることができる。
【００３７】
かくして、容器６から伸びた下垂性蔓植物５の茎は規制網７で正面から押さえられ、規制網７の上方に設けられた仕切棒７ｂと、その下方において、１本又は複数の仕切棒２４ａを有する仕切部材２４でそれぞれの下垂状態が整えられることにより、蔓植物５の成長する方向性が規制されると共に、強風を受けても容易に揺さぶられることがない安定した植栽状態となる。
【００３８】
また、上記の構成において、図６又は図７に示すように、各容器６、６…の上方に沿って潅水パイプ２５を設けることができる。この潅水パイプ２５は、容器６の側方に沿って縦方向に設けられた本幹２６から各容器６の上方に沿わせる必要長の枝管２７を設けてあり、枝管２７の先端部は閉塞し、また枝管２７には多数の排水穴（不図示）が設けられている。このような構成により、潅水パイプ２５の本幹２６を経て供給された水分を各枝管２７、２７…を経て各容器６の土壌に補給することができる。
【実施例２】
【００３９】
本実施例の壁面緑被装置は、実施例１の規制網７を開閉自在にして固定可能としたものである。図８(ａ)に示すように、実施例１の壁面緑被装置１における容器６に植栽された下垂性蔓植物５が壁面２と規制網７とに挟まれた状態で生育すると、図８(ｂ)に示すように、容器６と規制網７の上部との間の下垂性蔓植物５が外方へ膨らむように成長したり、仕切棒（７ｂ、２４ａ）のない箇所においては、規制網７の内方で横方向にずれたりするため、これを整然とした下垂状態に修正する必要がある。このような作業に対処して、図８（c）に示すように、規制網７を壁面２から前方へ倒伏するように開閉自在とすることによって、上記の作業を容易に行うことができる。
【００４０】
本実施例の壁面緑被装置の構造において、支柱２及び容器６は実施例１と同様のものを使用し、本実施例の規制網７’は、実施例１と同様に前面に網目部７ａを有するものである。また、規制網７’の上部には、実施例１と同様に、壁面側に折曲した所定長さを有する多数の仕切棒７ｂ、７ｂ…が間隔をあけて設けられている。また、図１０に示すように、規制網７’の両側に形成された下部延長棒７ｄを壁面２側に折曲して再び下方へ延長させた形状とする一方、支柱３の所定箇所に受け部材３２を上下動自在に固定するようにしている。
【００４１】
この受け部材３２は、支柱３の前面に縦状に設けられた隙間８の内部に受け座金３２ａを上下動自在に挟み込み、受け部材３２の中心に形成した穴部３２ｂにボルト３３を挿通して、該受け座金３２ａの背面に固着されたナット３４に締結することにより、受け部材３２を支柱３の所定高さに固定するようにしたものである。
【００４２】
また、この受け部材３２には、前方へ向けて折曲された支承片３２ｃが設けられ、該支承片３２ｃの中央には規制網７’の下部延長棒７ｄよりもやや大径の支承穴３２ｄが形成されている。この受け部材３２の支承穴３２ｄに上記の規制網７’の両側に形成された各下部延長棒７ｄを挿通することにより、この支承部位を支点として、規制網７’を前側に倒したり、壁面側２へ復帰したりすることができる。
【００４３】
また、図１１に示すように、規制網７’の両側の上部延長棒７ｃを壁面２側に略直角に折曲すると共にその端部を上方へ折曲してなる係止部７ｅを支柱３に固定した設置台４に係止した状態にして該係止部７ｅを挟み金具３５で押さえてボルト３６とナット３７で締結するようにしている。なお、このような実施例２の設置台４においては、実施例１の設置台４と同様に左右に長穴１５、１５が形成されているが、その中央に１個の丸穴１６が形成され、この丸穴１６に上記のボルト３６を挿通して、その下方にてナット３７で締結するようにしている。
【００４４】
このような構成によって、図８（c）又は図９に示すように、規制網７’を手前に倒した状態にしてから規制網７’の上方の容器６に植栽された下垂性蔓植物５を整然とした下垂状態に修正し、規制網７’を閉じて固定することにより、下垂性蔓植物５を壁面２と規制網７’の間に挟んだ状態にすることができる。
【００４５】
なお、この実施例２においても、実施例１と同様に、様々な本数の仕切棒２４ａを有する仕切部材２４を設け、実施例１と同様の方法により、規制網７’に取り付けることができる。さらに、本実施例において、潅水パイプ２５を設けることも、実施例１と同様の構成で実施することが可能である。
【産業上の利用可能性】
【００４６】
本発明の壁面緑被方法及び壁面緑被装置は、壁面を緑被する所望箇所及び面積に応じて支柱及び容器の規模及び固定箇所を計画することにより、強風を受ける環境下においても、壁面の所望箇所又は全面を計画的に下垂性蔓植物で緑被する壁面緑被として利用することが可能である。
【図面の簡単な説明】
【００４７】
【図１】本発明の実施例１に係る壁面緑被装置に使用される部材の分解斜視図である。
【図２】本発明の実施例１に係る壁面緑被装置を壁面に取り付けた状態を示す斜視図である。
【図３】(ａ)は本発明の実施例１に係る壁面緑被装置の支柱を壁面に取り付ける作業及び状態を示す上面図であり、(ｂ)はその正面図である。
【図４】本発明の実施例１に係る壁面緑被装置の支柱に設置台を取り付けた状態を示す上面図である。
【図５】(ａ)は本発明の実施例１に係る壁面緑被装置の支柱に設置台を取り付けた状態を示す正面図であり、(ｂ)はその側面図である。
【図６】(ａ)は本発明の実施例１に係る壁面緑被装置の容器に下垂性蔓植物を植栽した状態であって、規制網を取り付けた状況を示す上面図であり、(ｂ)はその正面図であり、（c）はその側面図である。
【図７】(ａ)は本発明の実施例１に係る壁面緑被装置の容器に下垂性蔓植物を植栽した状態であって、規制網を取り付ける前の状況を示す上面図であり、(ｂ)はその正面図であり、（c）はその側面図である。
【図８】(ａ)、(ｂ)は、本発明の実施例１に係る壁面緑被装置の側面図であり、（c）は本発明の実施例２に係る壁面緑被装置の側面図である。
【図９】本発明の実施例２に係る壁面緑被装置を示す側面図である。
【図１０】本発明の実施例２に係る壁面緑被装置の規制網の下方の支承構造を示す斜視図である。
【図１１】(ａ)、(ｂ)は、本発明の実施例２に係る壁面緑被装置の規制網の上方の係止構造を示す斜視図である。
【図１２】特許文献１の構造を使用した壁面の緑被状態を示す斜視図である。
【符号の説明】
【００４８】
１      壁面緑被装置
２      壁面
３      支柱
４      設置台
５      下垂性蔓植物
５ａ    根部
６      容器
６ａ    貫通孔
７、７’規制網
７ａ    網目部
７ｂ    仕切棒
７ｃ    上部延長棒
７ｄ    下部延長棒
７ｅ    係止部
８      隙間
９      ボルト穴
１０    アンカーボルト
１１    ボルト穴
１２    ボルト
１３    受け座金
１３ａ  丸穴
１４    ナット
１５    長穴  
１６    丸穴
１７    折曲部
１８    ボルト
２０    ナット
２１    網押え板
２２    噛合せ金具
２３    網押えボルト
２４    仕切部材
２４ａ  仕切棒
２５    潅水パイプ
２６    本幹
２７    枝管
３２    受け部材
３２ａ  受け座金
３２ｂ  穴部
３２ｃ  支承片
３２ｄ  支承穴
３３    ボルト
３５    挟み金具
３４    ナット
３６    ボルト
３７    ナット
【図１】
2006246753.tif 000003
【図２】
2006246753.tif 000004
【図３】
2006246753.tif 000005
【図４】
2006246753.tif 000006
【図５】
2006246753.tif 000007
【図６】
2006246753.tif 000008
【図７】
2006246753.tif 000009
【図８】
2006246753.tif 000010
【図９】
2006246753.tif 000011
【図１０】
2006246753.tif 000012
【図１１】
2006246753.tif 000013
【図１２】
2006246753.tif 000014